(57)【要約】　　　（修正有）【課題】厚みの異なる複数種類の扉に対して一種類で取り付けることができ、しかも、スライド時の不都合を解消するようにしたストッパーを提供する。【解決手段】接続部１６、扉前面当接部１８、および扉背面当接部２０は、可撓性部材により一体的に形成されており、扉前面当接部１８または扉背面当接部２０の少なくともいずれか一方は、扉前面当接部１８と扉背面当接部２０との最狭幅ｘが扉１４の厚みＬよりも小さくなるように内側に向って湾曲して形成されている。扉前面当接部１８および扉背面当接部２０を外側に向けて撓ませることで、一種類のストッパー１０を厚みの異なる複数種類の扉１４に挟着させることができる。【選択図】　　図４
0003097318.tif 000002
【実用新案登録請求の範囲】
【請求項１】
板状の接続部と、前記接続部の一端に設けられ扉の前面に配置される扉前面当接部と、前記接続部の他端に前記扉前面当接部と対向して設けられ前記扉の背面に配置される扉背面当接部とを備えた両開き扉を閉状態に保持するためのストッパーであって、
前記接続部、前記扉前面当接部、および前記扉背面当接部は可撓性部材により一体的に形成されており、
前記扉前面当接部または前記扉背面当接部の少なくともいずれか一方が内側へ向けて湾曲して形成されることにより前記扉前面当接部と前記扉背面当接部との最狭幅が前記両開き扉の厚みよりも狭くなるように形成されていることを特徴とするストッパー。
【請求項２】
前記扉前面当接部または前記扉背面当接部の少なくともいずれか一方の内側面には、幅方向に延びる突条が形成されていることを特徴とする、請求項１に記載のストッパー。
【考案の詳細な説明】
【０００１】
【考案の属する技術分野】
この考案は、両開き用の扉を閉状態に保持しておくためのストッパーに関する。
【０００２】
【従来の技術】
テレビスタンドやオーディオラックなど電気機器収納用家具の前面には電気機器を保護するための扉が設けられていることが多い。しかしながら、この扉は簡単に開けることができるようになっているため、子供が悪戯で扉を開けてしまい、電気機器を誤作動させたり、扉を壊したりするという問題があった。
【０００３】
扉が両開き扉の場合には、かかる悪戯を防止する手段として、たとえば図７に示すように、Ｕ字型に形成された棒状部材からなるストッパー（１）を両開き扉（２）の下端部に取り付けて両開き扉（２）を閉状態に固定するようにしたものが周知である（例えば特許文献１参照。）。
【０００４】
このストッパー（１）を使用する場合には、左右いずれか一方の扉（２）を開き、その下端部にストッパー（１）を取り付ける。そして、扉（２）を閉じ、ストッパー（１）をスライドさせて左右両方の扉（２）を跨ぐように配置する。すると、ストッパー（１）がちょうど閂の役割を果たし、扉（２）が開くのを抑止できるのである。
【０００５】
【特許文献１】
実開平２−１１２８７７号公報（第５頁、第１〜２図）
【０００６】
【考案が解決しようとする課題】
ところで、従来のストッパー（１）においては、厚みの異なる複数種類の扉に対して一種類で取り付けることができないという問題があった。すなわち、溝部（３）の幅が扉（２）の厚みよりも狭い場合には、扉（２）にストッパー（１）を取り付けることができず、反対に、溝部（３）の幅が扉（２）の厚みよりも広い場合には、扉（２）と溝部（３）との間に隙間が生じてしまい、扉（２）からストッパー（１）が脱落するという問題があった。
【０００７】
したがって、溝部（３）の幅が扉（２）の厚みと略等しい大きさのストッパー（１）を使用する必要があるが、この場合、溝部（３）がストッパー（１）の形状に合わせて略Ｕ字型に形成されているため、扉（２）と溝部（３）との接触面積が大きくなる。すると、ストッパー（１）をスライドさせる時の摩擦抵抗が大きくなるためスライド作業が困難となり、甚だしくはスライド時に異音が発生するという問題もあった。
【０００８】
それゆえに、本考案の目的は、厚みの異なる複数種類の扉に対して一種類で取り付けることができ、しかも、スライド時の不都合を解消するようにしたストッパーを提供することである。
【０００９】
【課題を解決するための手段】
請求項１に記載した考案は、「板状の接続部（１６）と、接続部（１６）の一端に設けられている扉前面当接部（１８）と、接続部（１６）の他端に扉前面当接部（１８）と対向して設けられている扉背面当接部（２０）とを備えた両開き扉（１４）を閉状態に保持するためのストッパー（１０）であって、接続部（１６）、扉前面当接部（１８）、および扉背面当接部（２０）は可撓性部材により一体的に形成されており、扉前面当接部（１８）または扉背面当接部（２０）の少なくともいずれか一方が内側へ向けて湾曲されることにより扉前面当接部（１８）と扉背面当接部（２０）との最狭幅（ｘ）が両開き扉（１４）の厚み（Ｌ）よりも狭くなるように形成されている」ことを特徴とする。
【００１０】
この考案によれば、ストッパー（１０）を構成している接続部（１６）、扉前面当接部（１８）、および扉背面当接部（２０）が可撓性部材により一体的に形成されており、かつ、扉前面当接部（１８）または扉背面当接部（２０）の少なくともいずれか一方が内側に向って湾曲されることによって扉前面当接部（１８）と扉背面当接部（２０）との最狭幅（ｘ）が扉（１４）の厚み（Ｌ）よりも狭くなるように形成されているので、扉前面当接部（１８）および扉背面当接部（２０）を外側へ向けて撓ませるだけで、１種類のストッパー（１０）を厚みの異なる複数種類の扉に挟着させることができる。
【００１１】
請求項２に記載した考案は、請求項１の扉背面当接部（１８）又は扉前面当接部（２０）を限定したものであり、「扉前面当接部（１８）または扉背面当接部（２０）の少なくともいずれか一方の内側面（１８ａ）（２０ａ）には、幅方向に延びる突条（２２）が形成されている」ことを特徴とするものである。
【００１２】
この考案によれば、ストッパー（１０）と扉（１４）との接触面積が小さくなり、摩擦抵抗が小さくなるため、スライド作業が容易となり、また、スライド時に異音が発生するのを防止できる。
【００１３】
【考案の実施の形態】
以下、本考案を図面に従って詳述する。ストッパー（１０）は、図１に示すように、テレビスタンドやオーディオラックといった電気機器を収納するための家具（１２）の前面に設けられている両開き扉（１４）の下端（勿論、上端であってもよい。）に取り付けて使用されるものであり、図２〜３に示すように、接続部（１６）、扉前面当接部（１８）、および扉背面当接部（２０）により一体的に構成されている。
【００１４】
接続部（１６）は、後述する扉前面当接部（１８）と扉背面当接部（２０）とを接続するための薄肉の板状部分であり、その幅（ｄ）は左右の扉（１４）を跨ぐことができる程度の長さに設定されており、厚み（ｌ）は扉（１４）の厚み（Ｌ）よりも長めに設定されている。
【００１５】
扉前面当接部（１８）は、接続部（１６）の幅方向および厚み方向に対してそれぞれ略直交する方向に向かって延びる薄肉の板状部分であり、その中央部分が内側（扉（１４）と対向する側）に向かって湾曲されており、先端部分に向かうにつれて外側（扉（１４）と対向しない側）に向って湾曲されている。なお、扉前面当接部（１８）の湾曲度合いは、扉前面当接部（１８）と後述する扉背面当接部（２０）との最狭幅（ｘ）が扉（１４）の厚み（Ｌ）よりも短くなるように設定される（本実施例では、無負荷状態で扉前面当接部（１８）の内側面（１８ａ）と扉背面当接部（２０）の内側面（２０ａ）とが当接するように設定されている。）。
【００１６】
接続部（１６）と扉前面当接部（１８）との接続部分はやや湾曲して形成されており、扉前面当接部（１８）を外側に向けて撓ませたときに、当該接続部分に加わる応力集中を回避できるようになっている。
【００１７】
扉背面当接部（２０）は、扉前面当接部（１８）と同様、接続部（１６）の他端から接続部（１６）の幅方向および厚み方向に対してそれぞれ略直交する方向に向って延び、その先端部分が外側に向かって湾曲されている薄肉の板状部分である。接続部（１６）と扉背面当接部（２０）との接続部分はやや湾曲して形成されており、扉背面当接部（２０）を外側に向けて撓ませたときに、当該接続部分に加わる応力集中を回避できるようになっている。
【００１８】
扉背面当接部（２０）の内側面（２０ａ）であって扉前面当接部（１８）の内側に湾曲した部分と対向する部分には、幅方向に延びる複数（この実施例では３本）の突条（２２）が形成されている。各突条（２２）の断面形状は、本実施例では半円形状に形成されているが、その形状は、扉（１４）との接触面積を低減することができる限りにおいて特に限定されるものではない。なお、本実施例においては、扉背面当接部（２０）の内側面（２０ａ）に突条（２２）を形成するようにしているが、扉前面当接部（１８）の内側面（１８ａ）に形成するようにしてもよい。
【００１９】
本実施例のストッパー（１０）では、接続部（１６）、扉前面当接部（１８）、および扉背面当接部（２０）が可撓性を有する樹脂などを素材として一つの部材として一体に形成されており、各構成部分が分離されることはない。なお、扉（１４）を確実に挟着するために低可撓性のものが好適に使用される。
【００２０】
ストッパー（１０）を使用する際には、まず、左右いずれか一方の扉（１４）を開いて、扉（１４）の下端側からストッパー（１０）を取り付ける。ストッパー（１０）を構成している扉前面当接部（１８）および扉背面当接部（２０）の先端部（扉挿入端側）は、それぞれ外側に向かって湾曲しているので、各部材（１８）（２０）の内側面（１８ａ）（２０ａ）がガイドとなり、扉（１４）への取付作業が容易となる。
【００２１】
ストッパー（１０）を挿入していくと、扉前面当接部（１８）の中央部分が内側に向かって湾曲しており、扉前面当接部（１８）と扉背面当接部（２０）との最狭幅（ｘ）が扉（１４）の厚み（Ｌ）よりも小さめに設定されているため、当該湾曲部が扉（１４）と当接してその挿入が阻害されるが、ストッパー（１０）は可撓性部材により形成されているので、扉前面当接部（１８）および扉背面当接部（２０）が外側に撓んでストッパー（１０）の挿入をそのまま続けることができる。
【００２２】
こうしてストッパー（１０）の挿入を続けると、やがて接続部（１６）が扉（１４）と当接し、これによりそれ以上の挿入が禁止される。なお、上述したように扉前面当接部（１８）および扉背面当接部（２０）は外側に向って撓んで弾性変形するので、各部材（１８）（２０）が元の状態に戻ろうとして扉前面当接部（１８）と扉背面当接部（２０）とが協働して扉（１４）を挟着することになる（図４参照）。したがって、扉（１４）に取り付けたストッパー（１０）が扉（１４）から脱落することはない。
【００２３】
そして、図４に示すように扉（１４）を閉じてストッパー（１０）を幅方向にスライドさせ、図５に示すように左右の扉（１４）を跨いだ状態となるように配置する。こうすることで、左右の扉（１４）がストッパー（１０）によって同時に固定されるため、扉（１４）の開方向への動きが抑止され、閉状態が保持される。
【００２４】
なお、扉背面当接部（２０）の内側面（２０ａ）には、ストッパー（１０）の幅方向に延びる複数の突条（２２）が形成されているので、扉（１４）との接触面積は小さくなり、ストッパー（１０）をスライドさせる時の摩擦力を低減することができる。したがって、ストッパー（１０）のスライド操作が容易となり、異音が発生することもない。
【００２５】
上述の実施例では、接続部（１６）と扉前面当接部（１８）との接続部分が当該接続部分に加わる応力集中を回避できるようにやや湾曲して形成されているが、図７に示すように、接続部（１６）と扉前面当接部（１８）との接続部分を、横向きの略Ｕ字形状となるように大きく湾曲して形成するようにしてもよい。この場合には、扉前面当接部（１８）を外側へ向けてより大きく撓ませることができ、大きな厚みの扉（１４）であっても取り付けることが可能となる。
【００２６】
【考案の効果】
請求項１に記載した考案によれば、ストッパーが可撓性部材により形成されており、かつ、扉前面当接部または扉背面当接部の少なくともいずれか一方が内側に向って湾曲されることにより扉前面当接部と扉背面当接部との最狭幅が扉の厚みよりも小さくなるように形成されているので、１種類のストッパーを厚みの異なる複数種類の扉に挟着させることができ、かつ、扉に取り付けたストッパーが脱落することがない。
【００２７】
請求項２に記載した考案によれば、扉前面当接部の内面または扉背面当接部の内面の少なくとも何れか一方にスライド方向に延びる突条が形成されているので、扉との接触面積を小さくすることができ、ストッパーのスライド時に発生する摩擦力を低減させることができる。したがって、スライド操作が容易となり、また、異音が発生することもない。
【図面の簡単な説明】
【図１】本考案の使用状態を示す斜視図である。
【図２】本考案の第１実施例のストッパーを示す正面図である。
【図３】本考案の第１実施例のストッパーを示す側面図である。
【図４】ストッパーを扉に取り付けた状態を示す斜視図である。
【図５】ストッパーをスライドさせて閉状態にした状態を示す斜視図である。
【図６】本考案の第２実施例のストッパーを示す側面図である。
【図７】従来例を示す斜視図である。
【符号の説明】
（１０）…ストッパー
（１２）…家具
（１４）…扉
（１６）…接続部
（１８）…扉前面当接部
（２０）…扉背面当接部
（２２）…突条
【図１】
0003097318.tif 000003
【図２】
0003097318.tif 000004
【図３】
0003097318.tif 000005
【図４】
0003097318.tif 000006
【図５】
0003097318.tif 000007
【図６】
0003097318.tif 000008
【図７】
0003097318.tif 000009